Podtech/llm-jp-corpus-v4-ja_patent huggingface dataset:
(57)【要約】      （修正有）【課題】洗剤が少量で済み、又濯ぎの水も少量で済み、その上、使い易く、握力の弱い人や高齢者にも楽に使え、環境にも優しい、エコ・タオルを提供する。【解決手段】タオル長手方向において、中央域に、全域の約三分の一の広さの起毛部２を設け、そこを挟む左右領域は平織り部３とし、平織り部３のそれぞれの両端の延長域を筒状に形成して、手差込部４を設け、この二つの手差込部４の筒縁にそれぞれ二箇所ずつ、つまみ布片５を設置する、又は筒状の手差込部４を設ける代わりに、タオル短手辺の両端を縁取り状にヘムを形成する。【選択図】図１
0003197731.tif 000002
【実用新案登録請求の範囲】
【請求項１】
タオル長手方向において、中央域に、全域の約三分の一の広さの起毛部を設け、そこを挟む左右領域は平織り部とし、平織り部のそれぞれの両端の延長域を筒状に形成して、手差込部を設け、左右の手差込部の全ての筒縁にそれぞれ二箇所ずつ、つまみ布片を設置することを特徴とする優しいエコ・タオル。
【請求項２】
筒状の手差込部を設ける代わりに、タオル短手辺の両端を縁取り状にヘムを形成したことを特徴とする請求項１における優しいエコ・タオル。
【考案の詳細な説明】
【技術分野】
【０００１】  本考案は、洗剤が少量で済み、又濯ぎの水も少量で済み、その上、使い易く、握力の弱い人や高齢者にも楽に使え、環境にも優しい、浴用タオルに関するものである。
【背景技術】
【０００２】  従来の浴用タオルは、タオル面積の大部分又は全部が起毛である。タオルの左右端付近にポケットを設けて、そこに手を差し入れて使用するポケット付きタオル（特許文献１参照）や、同箇所に手を差し込むホールを設けたタオル（特許文献２参照）等も知られている。
【先行技術文献】
【特許文献】
【０００３】
【特許文献１】  登録実用新案第３１０４１７６号公報
【特許文献２】  登録実用新案第３１１９０２４号公報
【考案の概要】
【考案が解決しようとする課題】
【０００４】  従来の浴用タオルは、タオル面積の大部分又は全部が起毛であるため、嵩が高く使い難く、又洗剤が多く必要となり、廃液も多く排出することになり、環境悪化の一因となっており、その上、濯ぎにも多くの水が必要となり、水資源の無駄使いとなっている。又握力の弱い人や高齢者は、タオルの両端を握り、背中に廻して洗うことが難しい。参照文献１に示される先行技術は、ポケットに、親指を除く四本の指を入れ、外側に出した親指で挟持すると、タオルの短手辺全てを握ることが難しく、タオルが束状にならず背中が洗い難い、又タオル全てが起毛であるため、嵩が高く、高齢者には使い辛く、その上、洗剤も多く必要となり廃液も多く流すことになり環境の悪化の一因となっている。参考文献２に示される先行技術はホールに指又は、手を入れ引っ掛けた状態ではタオルの短手辺全てを握ることが難しく、タオルが束状にならず、背中が洗い難しい、又タオル全てが起毛であるため嵩が高く、高齢者には使い辛く、その上、洗剤も多く必要となり廃液も多く流すことになり環境の悪化の一因となっている。
本考案は、以上の問題点を解決するためになされたものである。
【課題を解決するための手段】
【０００５】  タオル長手方向において、中央域に、全域の約三分の一の広さの起毛部を設け、そこを挟む左右領域は平織り部とし、平織り部のそれぞれの両端の延長域を筒状に形成して手差込部を設け、この左右の手差込部の筒縁にそれぞれ二箇所ずつ、つまみ布片を設置する。又は筒状の手差込部を設ける代わりに、タオル短手辺の両端を縁取り状にヘムを形成する。
以上の構成よりなる優しいエコ・タオル
【考案の効果】
【０００６】  従来の浴用タオルに比べ起毛部が少ないため、嵩張らず、使い易く、洗剤が少量で済むため、廃液も少量で済み、環境にも優しく、濯ぎも簡単で水も少量で済むため水資源の節約にもなる、その上、握力の弱い人や高齢者は筒状部に手を入れて握れるため簡単にタオルが束状になり、又従来タオルに比べ、少し長いので楽に背中に廻して洗うことが出来る、そして他の部位を洗うとき起毛部が肌に当たるように折りたたむことにより快適に洗うことが出来る、又健常者が使用するときは、筒状の代わりにヘムに仕上げたタオルを使えばよい。
【図面の簡単な説明】
【０００７】
【図１】  本考案の斜視図
【図２】  本考案の別の実施例を示す斜視図
【図３】  図１に示される本考案の平面図
【図４】  図２に示される本考案の平面図
【図５】  図１及び図３に示される本考案の側面図
【図６】  図２及び図４に示される本考案の側面図
【考案を実施するための形態】
【０００８】  以下、本考案の実施の形態を説明する。
タオル長手方向において、中央域に、全域の約三分の一の広さの起毛部（２）を設け、そこを挟む左右領域は平織り部（３）とし、平織り部（３）のそれぞれの両端の延長域を筒状に形成して、手差込部（４）を設け、この二つの手差込部（４）の筒縁にそれぞれ二箇所ずつ、つまみ布片（５）を設置する。又は筒状に形成する代わりに、タオル短手辺の両端を縁取り状にヘム（６）を形成する。
本考案は、以上のような構造である。
本考案を、握力の弱い人や高齢者が使用するときは、起毛部（２）に洗剤を付け、両端の手差込部（４）に手を差し込み、背中に廻して背中を洗い、その他の部位を洗うときは、起毛部（２）が肌に当たるように折りたたんで洗う、又健常者が使用するときは、筒状の手差込部（４）の代わりに、タオル短手辺の両端を縁取り状にヘム（６）を形成したタオルを同様に使用する。
【符号の説明】
【０００９】１      優しいエコ・タオル
２      起毛部
３      平織り部
４      手差込部
５      つまみ布片
６      ヘム
【図１】
0003197731.tif 000003
【図２】
0003197731.tif 000004
【図３】
0003197731.tif 000005
【図４】
0003197731.tif 000006
【図５】
0003197731.tif 000007
【図６】
0003197731.tif 000008
(57)【要約】      （修正有）【課題】昼夜発電する、ＳＬ発電機を提供する。【解決手段】ＬＥＤ１の前後、左右、上下にソーラーパネル２を設ける。これを使用する時は、ＬＥＤ１を電気により発光させる。【選択図】図１
0003197735.tif 000002
【実用新案登録請求の範囲】
【請求項１】
発光物体の前後、左右、上下にソーラーパネル（２）を設けたＳＬ発電機。
【考案の詳細な説明】
【技術分野】
【０００１】  この考案は、ＬＥＤの前後、左右、上下にソーラーパネルを設けたＳＬ発電機に関するものである。
【背景技術】
【０００２】  従来、ＬＥＤソーラーパネルは、別々になっていた。
【先行技術文献】
【０００３】
【特許文献１】
【非特許文献１】
【考案の概要】
【考案が解決しようとする課題】
【０００４】  これは、次のような欠点があった。ソーラーパネルは、光がないと発電しないので夜は発電できない。
本考案は、以上のような欠点をなくすためになされたものである。
【課題を解決するための手段】
【０００５】  発光物体を、ＬＥＤ（１）とする場合、ＬＥＤ（１）の前後、左右、上下にソーラーパネル（２）を設ける。
本考案は、以上の構成よりなる、ＳＬ発電機である。
【考案の効果】
【０００６】  （イ）ＬＥＤを使用するので、昼夜発電できる。
（ロ）設置場所を狭くでき方向も自由である。
【図面の簡単な説明】
【０００７】
【図１】  本考案の斜視図である。
【図２】  本考案の断面図である。
【考案を実施するための形態】
【０００８】  以下本考案を、実施するための最良の形態について、説明する。
ＬＥＤ（１）の前後、左右、上下にソーラーパネル（２）を設ける。
本考案は、以上のような構造である。これを使用する時は、ＬＥＤ（１）を電気により発光させる。
【符号の説明】
【０００９】  １  ＬＥＤ
２  ソーラーパネル
【図１】
0003197735.tif 000003
【図２】
0003197735.tif 000004
(57)【要約】      （修正有）【課題】飲食店等での食後の歯の美観や口腔内の病気予防の為に、迅速に口腔内の汚れを除去する事を目的とする歯ブラシを割り箸と共に同梱した箸袋を提供する。【解決手段】箸袋１の奥側に歯ブラシ収納部３を設け、適宜に縮小した歯ブラシ４を入れ、飛び出さないよう収納入口５を線状接着すると共に、割り箸２を差込、入れるようにした。【選択図】図１
0003197726.tif 000002
【実用新案登録請求の範囲】
【請求項１】
歯ブラシと箸を一緒に入れた箸袋
【請求項２】
歯ブラシを入れた独立した完封袋を箸袋の表面、裏面のどちらかに接着、接合した歯ブラシ付き箸袋。
【考案の詳細な説明】
【技術分野】
【０００１】本考案は歯ブラシを箸袋の中に入れたものである
【背景技術】
【０００２】飲食店等における食後の口腔内の汚れを解消する為には歯ブラシを常時、携帯し、その歯ブラシによって、口腔内を清掃する方法であった。
【考案の概要】
【考案が解決しようとする課題】食後は、なるべく短時間のうちに口腔内の汚れを除去することで歯周病、虫歯等の菌の活動を抑え、予防することが可能である為、本考案は食後、口腔内の汚れを箸と共に箸袋にセットした歯ブラシにより、迅速に除去することを目的としている。
【課題を解決するための手段】箸袋（１）は主に長方形であり、その袋部分の奥、歯ブラシ収納部（３）に適宜に縮小した歯ブラシ（４）を入れ、飛び出さないよう、（５）の部分を線状接着し、次に箸（２）を入れ差し込んだものである。
【考案の効果】飲食店等での食後、箸袋にセットされた歯ブラシにより、迅速に口腔内の汚れを安易に除去できる為、口腔内の病気予防の効果や歯の美観が期待できるものである。
【図面の簡単な説明】
【図１】  本考案の箸袋である。
【考案を実地するための形態】
箸袋（１）は主に長方形である為、縮小した歯ブラシ（４）を箸袋の奥、歯ブラシ収納部（３）に入れ、飛び出しを抑える為（５）の部分を線状に接着し、次に割り箸（２）を差込み、入れたものである。
【産業上の利用可能性】飲食店等での食後、箸袋に入った歯ブラシにより、口腔内の汚れの除去を迅速に行える為、虫歯、歯周病、その他の口腔内の病気を予防し、同時に歯の美観を保てる事を目的としたものである。
【符号の説明】１      箸袋
２      割り箸
３      歯ブラシ収納部
４      歯ブラシ
５      線状接着部分
【図１】
0003197726.tif 000003
(57)【要約】      （修正有）【課題】ＰＲしたい新商品などの宣伝用シートを張り付けて使用するスペースが確保でき、しっかり固定でき、風で揺れたり剥がれることがなく、景観を悪くすることがない自動販売機用看板取り付け装置を提供する。【解決手段】自動販売機１の前面パネル１１の天板の左右の取付部２３にフクロナットを埋設し、取付穴２２１を有するＬ字型の鉄板２２をとりつけ、正面の貼りつけ面に、はみ出すことなくＰＯＰシート２１を固定して貼りつけて使用する。【選択図】図１
0003197728.tif 000002
【実用新案登録請求の範囲】
【請求項１】
自動動販売機１の前面パネル１１の上に、宣伝用シート２１を貼れるようにしたシート貼り付け板２２を取付け部２３で固定した自動販売機用看板取り付け装置。
【請求項２】
取付部２３は、前面パネルの上辺に予め埋め込んだ袋ナット２３２と、シート貼り付け板２２に設けられて取付穴２２１を通して螺入して固定するネジ２３１からなることを特徴とする請求項１記載の自動販売機用看板取り付け装置。
【考案の詳細な説明】
【技術分野】
【０００１】自動販売機に宣伝シートを貼り付けのための看板取り付け装置に関する。
【背景技術】
【０００２】今まで自動販売機のオペレーターは、自動販売機で販売する新製品等の宣伝シートを、簡易にテープで貼り付け使用しているが、風にゆれたり、逆光で明確に読み取れなかったり、景観の悪化を引き起こしていたが、それを解決するための宣伝シートを張り付ける看板の取り付け装置がなかった。
【考案の概要】
【考案が解決しようとする課題】
【０００３】自動販売機のオペレーターは、自動販売機で販売する新製品等の宣伝シートを自動販売機に貼って販促をしようとしているが、きっちりと貼り付ける十分なスペースがないため、狭い部分に仮止めのように貼りつけており、風にゆれたり、剥がれたり、逆光時には読み取りにくく宣伝効果がそがれたり、景観を悪くしたりする事例が多発している。
【課題を解決するための手段】
【０００４】自動販売機の扉部天板の左右に袋ナットを埋設し、Ｌ字型の鉄板１をビスにて取り付けることが可能となる仕様とし、宣伝シートを貼りつけたいときに、いつでもＬ字看板が取り付けられ宣伝シートを張り付けることができ、風にゆれたり、景観を損ねないように、しっかりと貼りつけて使用することができることを特徴とする宣伝シート張りつけるための看板取り付け装置。
【考案の効果】
【０００５】自動販売機で販売する商品について、特にＰＲしたい新商品などの宣伝用シートを張り付けて使用するスペースが確保でき、しっかり固定できるので、風で揺れたり、剥がれることがなく、景観を悪くしたりすることがない。
【図面の簡単な説明】
【０００６】
【図１】本考案の自動販売機用看板取り付け装置の構成  （ａ）外観図  （ｂ）組立図  （ｃ）シート貼り付け板  （ｄ）宣伝用シート
【図２】本考案の自動販売機用看板取り付け装置の取り付け部  （ａ）袋ナット  （ｂ）ネジ
【考案を実施するための形態】
【０００７】図１は、本考案の自動販売機用看板取り付け装置の構成で、（ａ）は外観、（ｂ）は組立図を示す。
自動動販売機１の前面パネル１１の上に、シート貼り付け板２２を取付け部２３で、固定し、そのシート貼り付け板２２に宣伝用シート２１を貼れるようにする。
取付部２３は、図２（ａ）に示す袋ナットを、前面パネルの上辺に予め埋め込んでいる。
そこに、図２（ｂ）のネジでシート貼り付け板２２に設けられた取付穴２２１を通して、袋ナットに螺入して固定する。
【産業上の利用可能性】
【０００８】宣伝シートを貼りつけることができる自動販売機用看板取り付け装置を提供する。
【符号の説明】
【０００９】１  自動動販売機
１１  前面パネル
２  看板取り付け装置
２１  宣伝用シート
２２  シート貼り付け板
２２１  取付穴
２３  取付部
２３１  ネジ
２３２  袋ナット
【図１】
0003197728.tif 000003
【図２】
0003197728.tif 000004
(57)【要約】      （修正有）【課題】ブリキ製の蓋をとり、スプーンを使ったあと食卓の上に置くとハエ、ホコリ、等が付き不衛生であったので、衛生的で便利な、スプーン付かえ蓋を堤供する。【解決手段】食事をする時にブリキの蓋を取り、同じサイズの樹脂製のかえ蓋１の中央に高さ２センチの突起２を設け蓋の中央に適当なサイズのスプーン３を差し込み突起２と一緒につまんで使用するのを特徴とする。【選択図】図３
0003197722.tif 000002
【実用新案登録請求の範囲】
【請求項１】
ブリキ缶の蓋と、同じサイズの樹脂製のかえ蓋（１）の中央に高さ２センチの突起（２）を設け、蓋の中央に適当なサイズのスプーン（３）を差し込み突起（２）と一緒につまんで使用する便利で衛生的な、スプーン付、かえ蓋。
【考案の詳細な説明】
【技術分野】
【００１】この考案は、海のり、味付け味噌、ジヤム、等の樹脂製のかえ蓋で衛生的な、スプーン付かえ蓋である。
【背景技術】
【００２】従来はブリキ製の蓋を取ったあと使ったスプーンを食卓の上に置くと、ハエ、ホコリ、等付不衛生であった。
（特許文献１参照）
【先行技術文献】
【００３】
【特許文献】
【特許文献】得開００００−００００００号会報
【考案の概要】
【考案が解決しようとする課題】
【００４】従来はスプーンを使った後、ハエ、ホコリが付き不衛生だったので蓋の付いたまま使えて、衛生的にしたい。
【課題を解決するための手段】
【００５】食事に使う時にブリキの蓋を取り、同じサイズの樹脂製のかえ蓋（１）の中央に高さ２センチの突起（２）を設け蓋の中央に適当なサイズのスプーン（３）を差し込み突起（２）と一緒につまんで使う。
【考案の効果】
【００６】海のり、味のり等食べた後、ムシ、ホコリが付かず衛生的で、便利で気持ちが良い。
【図面の簡単な説明】
【００７】
【図１】本考案の平面図である。
【図２】本考案の側面図である。
【図３】本考案の斜視図である。
【考案を実施するための形態】
【００８】ブリキ缶の蓋を取り、同じサイズの樹脂製のかえ蓋（１）の中央に高さ２センチの突起（２）を設け蓋の中央に適当なサイズのスプーン（３）を差し込み突起（２）と一緒につまんで使用するので便利で、衛生的で良い。
【符号の説明】（１）  かえ蓋
（２）  突起
（３）  スプーン
【図１】
0003197722.tif 000003
【図２】
0003197722.tif 000004
【図３】
0003197722.tif 000005
(57)【要約】      （修正有）【課題】筐体外部から電源や電子回路を用いずにカード残数を計測できる物差し状のカウンタを提供する。【解決手段】筐体１２に開けた計測穴１４より収納されているカード収納部１６の一番上に接するようにカード残数カウンタ物差し１３を差込み、筐体外部からカード厚を単位とする目盛を読み取ることで、筐体内のカード残数を直接目視で、計測する。【選択図】図３
0003197721.tif 000002
【実用新案登録請求の範囲】
【請求項１】
カード自動販売機の筐体に開けた計測穴より収納されているカード収納部の一番上に接しするように差込み、筐体外部からカード厚を単位とする目盛を読み取ることで、筐体内のカード残数を計測する物差し状のカウンタ。
【考案の詳細な説明】
【技術分野】
【０００１】  本考案は、カード自動販売機のカード残数を筐体の外側から読み取るカード残数カウンタに関するものである。
【背景技術】
【０００２】  レストランなどのテーブルに設置される簡易型カード自動販売機の筐体内に保管される販売用カードの残数を数えるためには、筐体を分解し、カード保管ケース内のカード残数を手作業で数えるしかなかった。そのため、自動販売機の定期メンテナンス時に相当な時間を使うことになり、作業効率が非常に悪い状況にありました。【０００３】  この欠点を克服するため、筐体分解の簡便手法の考案や、筐体構造の設計改良等が行われましたが、根本的な時間短縮になっておらず、この種の自動販売機の採算を悪化させる大きな原因となっていました。【０００４】  筐体にスリットを設け、カード残数が見えるようにする構造の変更が考えられましたが、スリットから細い棒などで、販売用カードが盗難に遭うという欠点がありました。【０００５】  スリットを透明樹脂で多い、盗難を防止しながら残数を数えられるようにする方法も考えられましたが、残数が少ないことが購入者に判明すると購入意欲を低下させるなどの問題点が存在しています。【０００６】  根本的な改善案として、販売されたカードの枚数を記録し、初期セッティング枚数から差し引いて、カード残数を表示する電子的カウンタも考えられました。しかし、この方法も電子回路やセンサーなどの付加で、コストが上がることと、電池等の電源の問題が新たに発生してきえ、実用には至りませんでした。【０００７】  測定時にカード残数をカードの積み重ね厚さまたは重さから、新たに計測する方法として、重量センサや超音波センサを使うことが考えられましたが、測定に安定性やコスト面や構造の簡素化の点から採用されませんでした。【０００８】  測定時にカードケースの上端から残余カードまでの空間の長さを超音波の反射時間や光学的測量など方法により電子的に測定して、電気的に外部に伝達する方法も考えられましたが、測定に安定性やコスト面や構造の簡素化の点から採用されませんでした。【０００９】  電源を必要とする電子回路などは、レストランのテーブル上に設置されるという環境条件から、ＡＣ電源からの供給は難しいものがあり、電池での供給も非常に多数の筐体への電池交換の手間から、実用上は導入が難しいと判断されました。【００１０】  実際の動作およびメンテナンスの状況を考慮すると、設置されている状態で、筐体の外側からカード残数が計測できることが望ましく、電源を必要とする電子回路は避けなければならないことが条件となります。
【先行技術文献】
【実用新案文献】
【００１１】
【実用新案文献１】
登録実用新案第３０８７６２６号公報  「物差し付き箸」
【考案の概要】
【考案が解決しようとする課題】
【００１２】  解決しようとする問題点は、筐体外部から電源や電子回路を用いずにカード残数を計測できない点である。
【課題を解決するための手段】
【００１３】  本考案は、カード残数をカードケース上部のスペースを筐体に開けた計測穴に直接、残数カウンタ物差しを挿入し、、その目盛に残数を記述させることで簡易に目視できることを最も主要な特徴とする。
【考案の効果】
【００１４】  本考案の残数カウンタ物指しは、電源を必要とする電子回路を持たず、極めて安価で簡便な方法で直接計測できるという利点がある。
【図面の簡単な説明】
【００１５】
【図１】図１はカード残数カウンタ物指しの目盛りと数字を示す斜視図である。（実施例１）
【図２】図２はカード自動販売機にカード残数カウンタを使用して残数計測の実施方法を示した説明図である。（実施例１）
【図３】図３はカード自動販売機の断面であり、カード残数カウンタ物指しを挿入した状態を説明する使用状況図である。（実施例１）
【考案を実施するための形態】
【００１６】  筐体外部から計測穴に差し込む残数目盛を刻んだ物差しで実現した。
【実施例１】
【００１７】  図１は、本考案装置の実施例１の斜視図であって、１はカード残数カウンタ物指しであり、２は残カード上部に接する物差し端、３はカード厚（実施例１では０．９ｍｍ）を単位として刻まれた残数カウンタ目盛り、４はカード残数を表示した残数表示、５は物指しの手持ち部分の表示、６は物指しの手差し方向を示す表示である。【００１８】  図２は、カード自動販売機にカード残数カウンタを使用して残数計測の実施方法を示した説明図であり、７はカード自動販売機の筐体、８はカード収納部の上部筐体に空けた計測穴、９は差し込まれたカード残数カウンタ物指し、１０はカード出口、１１はカードを購入するときに操作するカード購入レバーである。【００１９】  図３はカード自動販売機の断面であり、カード残数カウンタ物指しを挿入した状態を説明する使用状況図であり、１２は過度自動販売機筐体、１３は挿入された状態のカード残数カウンタ物指し、１４はカード自動販売機に開けられた計測穴、１５は残数カウンタ読み取り部、１６はカード収納部、１７はカード出口、１８は収納されているカード、１９は残カードの一番上に接している物指し端である。
【符号の説明】
【００２０】１    カード残数カウンタ物指し            １１  カード購入レバー
２    物指し端                            １２  カード自動販売機筐体
３    残数カウンタ目盛り                  １３  カード残数カウンタ物指し
４    残数表示                            １４  計測穴
５    手持ち表示                          １５  残数カウンタ読み取り部
６    手差し方向表示                      １６  カード収納部
７    カード自動販売機筐体                １７  カード出口
８    計測穴                              １８  カード
９    カード残数カウンタ物指し            １９  物指し端
１０  カード出口
【図１】
0003197721.tif 000003
【図２】
0003197721.tif 000004
【図３】
0003197721.tif 000005
(57)【要約】      （修正有）【課題】こうもり傘でも折りたたみ傘でも肘掛けに掛けることができ、傘を持って座席に座る必要がなく、濡れた傘を手に持って座席に座ることを解消した傘を保持する機能が付いた座席用肘掛を提供する。【解決手段】傘を差し込む穴２と傘の紐を掛ける突起３とを座席用肘掛け１に設けた。【選択図】図１
0003197720.tif 000002
【実用新案登録請求の範囲】
【請求項１】
傘を差込んで保持する穴と傘の紐を掛ける突起とを設けたことを特徴とする座席用肘掛
【考案の詳細な説明】
【技術分野】
【０００１】  本考案は座席用肘掛に関するものであり、肘掛の形状に工夫を加え、傘を保持する機能を持つものである。
【背景技術】
【０００２】  雨傘は、こうもり傘や折りたたみ傘が通常使われている。従来は、多数の人が利用する劇場や競技場、電車などは、これらの傘を置くところがなく、各人が傘を持って座席に座る必要がある。
【考案の開示】
【考案が解決しようとする課題】
【０００３】  しかし、これでは雨が降ったとき、濡れた傘を手に持って座席に座ることになる。また傘が濡れてない場合や濡れた傘をポリ袋に入れた場合でも、傘を持ったまま座席に座る。
【課題を解決するための手段】
【０００４】  そこで、座席用肘掛の一部に、こうもり傘を差し込んで保持する穴と、折りたたみ傘の紐を掛けて保持する突起とを設けた肘掛を考案した。
【考案の効果】
【０００５】  傘を保持する機能が付いた本考案の座席用肘掛により、こうもり傘でも折りたたみ傘でも肘掛けに掛けることができ、傘を持って座席に座る必要がない。濡れた傘を手に持って座席に座ることを解消する。
【考案を実施するための最良の形態】
【０００６】  図１は、座席用肘掛に、傘を差し込んで保持する筒状の穴と、肘掛けの先端部に溝をつくり傘の紐を掛ける突起とを設けた形状を上から見た平面図である。図２は図１のＡ−Ａ’断面図である。筒状の穴の断面はこうもり傘を床面に届くように差し込み倒れない大きさにする。突起は折りたたみ傘の紐を掛けて外れない形状にする。図３はこうもり傘と折りたたみ傘を本考案の座席用肘掛けに保持した状態の断面図である。【０００７】  本考案の座席用肘掛けは、図４のように差し込み穴の一部を欠いた形と欠いた部分の突起に紐を掛ける形状にしてもよいし、図５のように肘掛に差し込み穴と前正面に紐を掛ける突起を設けた形状としてもよい。
【図面の簡単な説明】
【００８】
【図１】  傘の差し込み穴と紐を掛ける突起を設けた座席用肘掛けの平面図である。
【図２】  図１をＡ−Ａ’から見た断面図である。
【図３】  本考案による座席用肘掛にこうもり傘および折りたたみ傘を掛けた状態の断面図である。
【図４】  肘掛の前部に、穴の一部を欠いた傘の差し込み穴と、傘の紐を掛ける突起部に滑り止めの溝を設けた肘掛けの部分平面図である。
【図５】  傘の差し込み穴と傘の紐を掛ける突起を肘掛の前正面部に設けた肘掛けの部分立面図である。
【符号の説明】
【００９】１      座席用肘掛
２      差し込み穴
３      紐掛け突起
４      紐掛け溝
５      こうもり傘
６      折りたたみ傘
７      折りたたみ傘の紐
８      床
【図１】
0003197720.tif 000003
【図２】
0003197720.tif 000004
【図３】
0003197720.tif 000005
【図４】
0003197720.tif 000006
【図５】
0003197720.tif 000007
(57)【要約】      （修正有）【課題】ファイルから外した書類などの被綴じ対象材をばらけさせず、再度ファイリングしやすいファイルを提供する。【解決手段】表紙体１に取り付けられた可撓性を有する綴じ足２と、綴じ具とからなるファイルであって、綴じ具が、綴じ足２をそれぞれ挿通させる綴じ足挿通部を備えてなるベース５と、当該ベース５に対して動作可能に取り付けられ、綴じ足２を上記綴じ足挿通部よりも上側から押さえ得る押さえ部を有すると共に、ベース５の長手方向の少なくとも一方の端において、ベース５の幅および厚みが、被綴じ対象材８の綴じ穴９に挿通しうる寸法以下となっていることを特徴とする構造とする。【選択図】図３
0003197786.tif 000002
【実用新案登録請求の範囲】
【請求項１】
表紙体に取り付けられた可撓性を有する綴じ足と、綴じ具とからなるファイルであって、上記綴じ具が、綴じ足をそれぞれ挿通させる綴じ足挿通部を備えてなるベースと、当該ベースに対して動作可能に取り付けられ、綴じ足を上記綴じ足挿通部よりも上側から押さえ得る押さえ部を有すると共に、上記ベースの長手方向の少なくとも一方の端において、ベースの幅および厚みが、被綴じ対象材の綴じ穴に挿通しうる寸法以下となっていることを特徴とするファイル。
【請求項２】
前記ベース端の形状がくさび状の突起を有することを特徴とする綴じ具およびファイル。
【考案の詳細な説明】
【技術分野】
【０００１】
本考案は、綴じ穴を設けた書類などの被綴じ対象材に対し、綴じ穴に可撓性の綴じ足を挿通させ、その上側から綴じ具で挟持し、被綴じ対象材を保持するファイルに関するものである。
【背景技術】
【０００２】
従来、書類などの被綴じ対象材を綴じるためのファイル、並びに当該ファイルに取り付けられる綴じ具として、表紙体に取り付けられた可撓性を有する綴じ足に対し、複数の綴じ足をそれぞれ挿通させるための複数の綴じ足挿通部を備えてなるベースと、 当該ベースに対して動作可能に取り付けられ、綴じ足を前記綴じ足挿通部よりも上側から押さえ得る押さえ部を有し、書類などの被綴じ対象材の綴じ込みを行うファイルは一般的に使用されている。
【考案の概要】
【考案が解決しようとする課題】
【０００３】
従来のファイルでは、例えばコピーをとる時や書類の整理などで、被綴じ対象材を綴じ足から外すと、被綴じ対象材の綴じ穴の位置がずれ、再度綴じたいときに被綴じ対象材を綴じ足に通す作業が煩雑になることがしばしばある。
【０００４】
本考案者は前記課題は、ベースの長手方向のすくなくとも一方の端において、ベースの幅および厚みが、被綴じ対象材の綴じ穴に挿通しうる寸法以下とし、被綴じ対象材をファイルから外した際に、綴じ穴にベースの一端を位置ずれ防止の棒体として差し込むことで解決する事を知見し、この知見に基づき本考案に至ったものである。
【０００５】
本考案はこうした現状に鑑みてなされたもので、ファイルから外した書類などの被綴じ対象材をばらけさせず、再度ファイリングしやすいファイルを提供することを目的としている。
【課題を解決するための手段】
【０００６】
上記課題を解決する請求項1にかかる考案は、少なくとも表紙体に取り付けられた可撓性を有する綴じ足と、綴じ具とからなるファイルであって、上記綴じ具が、綴じ足をそれぞれ挿通させる綴じ足挿通部を備えてなるベースと、当該ベースに対して動作可能に取り付けられ、綴じ足を上記綴じ足挿通部よりも上側から押さえ得る押さえ部を有すると共に、上記ベースの長手方向の少なくとも一方の端において、ベースの幅および厚みが、被綴じ対象材の綴じ穴に挿通しうる寸法以下となっていることを特徴とする構造とした。
【０００７】
請求項２記載のファイルは、前記ベース端の形状がくさび状の突起を有することを特徴とする構造とした。
【０００８】
上記構成のファイルでは、書類などの被綴じ対象材を外した際に、被綴じ対象材の綴じ穴に挿通しうる寸法以下に構成された、ベースの長手方向のすくなくとも一方の端を、位置ずれ防止の棒体として差し込むことで、ファイルから外した被綴じ対象材をばらけさせず、再度ファイリングしやすくしている。
【図面の簡単な説明】
【０００９】
【図１】綴じ具およびファイルの斜視図
【図２】ベースの斜視図
【図３】綴じ具およびファイルの使用状態を表した斜視図
【考案を実施するための形態】
【００１０】
本考案の実施形態について図を参照して説明する。
図1は綴じ具およびファイルの実施形態を示す斜視図である。
同図に示すように、本考案の綴じ具およびファイルは、少なくとも表紙体１と、表紙体１に取り付けられた可撓性を有する綴じ足２からなるファイル３と、綴じ足２をそれぞれ挿通させるための綴じ足挿通部４を備えてなるベース５と、 当該ベース５に対して動作可能に取り付けられ、綴じ足２を前記綴じ足挿通部４よりも上側から押さえ得る押さえ部６を有する綴じ具７からなり、ベース５の長手方向のすくなくとも一方の端において、ベース５の幅および厚みが、被綴じ対象材８の綴じ穴９に挿通しうる寸法以下となっている。
【００１１】
図２は第２の実施形態を示すベースの斜視図である。
同図に示すように、ベース５の端の形状がくさび状の突起１０を有している。こうすることで、綴じ穴９に差し込んだベース５が抜けにくくなり、予期せぬベース５の抜けとそれによる被綴じ対象材８のばらけが起きにくくなる。
【００１２】
ここでは突起１０の寸法について述べていないが、綴じ穴９に挿通して使用する方法に変わりないため、突起１０の一番太い部分の幅および厚みが綴じ穴９より小さいことが求められる。
【実施例】
【００１３】
本考案の綴じ具およびファイルを用いて被綴じ対象材８を保持する場合は、通常の綴じ具およびファイルと同様に、被綴じ対象材８に設けた綴じ穴９に、可撓性の綴じ足２を挿通させ、綴じ具７の綴じ足挿通部４に綴じ足２を挿通させ、上側から被綴じ対象材８を挟持する。その後、ベース５に取り付けられた抑え部６をスライドさせ、綴じ足２を上から抑えることにより、綴じ具７を固定する。
【００１４】
コピーや整理などでファイル３から被綴じ対象材８を外した際の位置ずれ防止方法は、図３に示すように、ファイルの綴じ足２から外した被綴じ対象材８の綴じ穴９に、ベース５の少なくとも一端を位置ずれ防止の棒体として差し込むことで実現する。
【符号の説明】
【００１５】
１    表紙体
２    綴じ足
３    ファイル
４    綴じ足挿通部
５    ベース
６    押え部
７    綴じ具
８    被綴じ対象材
９    綴じ穴
１０  突起
【図１】
0003197786.tif 000003
【図２】
0003197786.tif 000004
【図３】
0003197786.tif 000005
(57)【要約】      （修正有）【課題】動物の形をした五平餅を作る五平餅の型を提供する。【解決手段】下部の中央に動物の形３が、その上下に串の形の溝４がそれぞれ掘り込まれた五平餅の型であって、上部の部分を下部に押し付けることで動物の形の五平餅ができる。【選択図】図２
0003197707.tif 000002
【実用新案登録請求の範囲】
【請求項１】
上部、下部からなる箱型のもので、下部の中央に動物の形が、その上下に串の形が掘り込まれ上部の部分を下部に押し付けることで動物の五平餅ができる事を目的とする動物の形をした五平餅の型。
【考案の詳細な説明】
【技術分野】
【０００１】本考案は五平餅の形を動物の形にできる型である。
【背景技術】
【０００２】従来の五平餅は楕円か丸の形しかなかった。
【考案の概要】
【考案が解決しようとする課題】
【０００３】木材に動物の形を掘り込むことで動物の形をした五平餅ができる。
【課題を解決するための手段】
【０００４】本考案は上部と下部をちょうつがいで繋げた箱状の形で、ご飯をつけた串を下部の中央の動物の形を施した溝と串を置く溝に置き、上部の部分を下部の部分に押し当てることで動物の形の五平餅が作れることで解決している。
【考案の効果】
【０００５】本考案は従来の五平餅から動物の形にすることで子供達まで楽しんでいただける。
【図面の簡単な説明】
【０００６】
【図１】横から見た図
【図２】斜め上から見た図
【考案を実施するための形態】
【０００７】動物の形の五平餅の型を横からみると上部と下部がちょうつがいでとりまとめてあり、上部の部分には下に押さえやすい取っ手がついていて、下部には串をはめる溝が上下に、中央には動物の形がそれぞれ掘り込まれ下部を固定させるために補助板がついている。
【実施例】
【０００８】以下、添付図面に従って実施例を説明する。
▲１▼下部の補助台の上に▲２▼下部があり▲３▼下部の中央には動物の形が掘り込まれ▲４▼その上下に串がはまる溝があり▲５▼取っ手がついた▲６▼上部を▲７▼ちょうつがいで下部と合わせることができる。
【符号の説明】
【０００９】▲１▼補助台
▲２▼下部
▲３▼動物の形の溝
▲４▼串の形の溝
▲５▼取っ手
▲６▼上部
▲７▼ちょうつがい
0003197707.tif 000003
【手続補正書】
【提出日】平成27年3月30日(2015.3.30)
【手続補正１】
【補正対象書類名】図面
【補正対象項目名】全図
【補正方法】変更
【補正の内容】
【図１】
0003197707.tif 000004
【図２】
0003197707.tif 000005
(57)【要約】      （修正有）【課題】使用者の足首部を補強し真っ直ぐに矯正する補強具を備えた靴下を提供する。【解決手段】靴下は、足８に嵌まるかかと１１、つま先１２及び底部１３を有する靴下本体１０と、靴下本体１０に取り付けられる補強具２０とを備える。補強具２０は、靴下本体１０の底部１３から外側上部に向かって延伸する外側セグメント、靴下本体１０の底部１３から内側上部に向かって延伸する内側セグメント２２、並びに、外側セグメントと内側セグメント２２との間に連結される連結セグメント２３及び補助セグメントを含む。【選択図】図１
0003197037.tif 000002
【実用新案登録請求の範囲】
【請求項１】
かかと（１１）、つま先（１２）及び底部（１３）を有する靴下本体（１０）と、
前記靴下本体に取り付けられる補強具（２０）と、を備え、
前記補強具は、
前記靴下本体の底部から外側上部に向かって延伸する外側セグメント（２１）と、
前記靴下本体の底部から内側上部に向かって延伸する内側セグメント（２２）と、
前記外側セグメントと前記内側セグメントとの間に連結される連結セグメント（２３）と、
前記外側セグメントと前記内側セグメントとの間に連結される補助セグメント（２４）と、
を含むことを特徴とする靴下。
【考案の詳細な説明】
【技術分野】
【０００１】
本考案は、靴下に関する。
【背景技術】
【０００２】
従来、一般的な靴下が知られている。
【考案の概要】
【考案が解決しようとする課題】
【０００３】
従来の靴下は、使用者の足首部を補強したり真っ直ぐに矯正したりする補強具を備えていなかった。
本考案の目的は、使用者の足首部を補強し真っ直ぐに矯正する補強具を備えた靴下を提供することにある。
【課題を解決するための手段】
【０００４】
本考案の靴下は、かかと（１１）、つま先（１２）及び底部（１３）を有する靴下本体（１０）と、前記靴下本体に取り付けられる補強具（２０）と、を備え、前記補強具は、前記靴下本体の底部から外側上部に向かって延伸する外側セグメント（２１）と、前記靴下本体の底部から内側上部に向かって延伸する内側セグメント（２２）と、前記外側セグメントと前記内側セグメントとの間に連結される連結セグメント（２３）と、前記外側セグメントと前記内側セグメントとの間に連結される補助セグメント（２４）と、を含むことを特徴とする。
【図面の簡単な説明】
【０００５】
【図１】本考案の一実施形態による靴下の左側面図である。
【図２】本考案の一実施形態による靴下の右側面図である。
【図３】本考案の一実施形態による靴下の底面図である。
【考案を実施するための形態】
【０００６】
本考案の一実施形態による靴下を図１〜図３に示す。この靴下は、足８に嵌まるかかと１１、つま先１２及び底部１３を有する靴下本体１０と、靴下本体１０に取り付けられる補強具２０とを備える。補強具２０は、靴下本体１０の底部１３から外側上部に向かって延伸する外側セグメント２１、靴下本体１０の底部１３から内側上部に向かって延伸する内側セグメント２２、並びに、外側セグメント２１と内側セグメント２２との間に連結される連結セグメント２３及び／又は補助セグメント２４を含む。
補強具２０は、使用者の足首部を補強し真っ直ぐに矯正するために用いられる。
【符号の説明】
【０００７】
８・・・足、
１０・・・靴下本体、
１１・・・かかと、
１２・・・つま先、
１３・・・靴下本体の底部、
１４・・・靴下本体の上部、
２０・・・補強具、
２１・・・外側セグメント、
２２・・・内側セグメント、
２３・・・連結セグメント、
２４・・・補助セグメント。
【図１】
0003197037.tif 000003
【図２】
0003197037.tif 000004
【図３】
0003197037.tif 000005
(57)【要約】      （修正有）【課題】廉価で製作でき、従来のハガキの郵便料金でアナグリフ画像鑑賞のための赤青メガネをハガキに貼付し送付できるメガネシールを提供する。【解決手段】裏面に弱剥離性粘着剤３を塗膜したポリエステル（ＰＥＴ等）やポリ塩化ビニル等の透明フィルム１を原板とする。この原板に透明度の高い赤色２Ｌと青色２Ｒを一対に印刷（着色）する。剥離紙４を剥した後、メガネシールをハガキに密着貼付し送付する。ハガキを受け取る側は、ハガキからメガネシールを剥がし、アナグリフ画像を鑑賞するためのメガネとして使用する。【選択図】図２
0003197006.tif 000002
【実用新案登録請求の範囲】
【請求項１】
アナグリフ画像を鑑賞するための、ポリエステル（ＰＥＴ等）やポリ塩化ビニルの透明フィルムを原板とし、その上に透明度の高い赤色と青色を一対に印刷（着色）を施したことを特徴とするメガネシール
【請求項２】
透明フィルム原板の裏面に弱剥離性粘着剤を塗膜し、剥離紙を剥した後、ハガキに完全密着の状態で貼付できることを特徴とする請求項１に記載するメガネシール
【請求項３】
ハガキに密着貼付されたメガネシールはハガキ表面を損傷させずに剥すことができ、剥したメガネシールはアナグリフ画像を鑑賞するためのメガネとして使用することを特徴とする請求項１，２に記載するメガネシール
【考案の詳細な説明】
【技術分野】
【０００１】本考案は、アナグリフ画像を鑑賞するための赤青メガネに関するものである。
【背景技術】
【０００２】ハガキの用途として挨拶状、ダイレクトメール、絵ハガキ等があるが、そのハガキに載せる画像（写真、イラスト、文字）は主に平面的な画像である。
【考案の概要】
【考案が解決しようとする課題】
【０００３】アナグリフ画像は最も容易に作成できる画像の一つであり、かつ、簡単に立体感を感じることができる画像の一つであるが、画像の鑑賞には赤青メガネが必要である。【０００４】ハガキを送付する際に、ハガキに赤青メガネを貼付して送付すれば、ハガキを受け取る側アナグリフ画像を鑑賞することができる。しかし、ハガキに赤青メガネを貼付する際、従来の郵便料金で送付できる要項を満足しなければならない。
【課題を解決するための手段】
【０００５】本考案は、上述の課題を解決するものであり、従来のハガキの郵便料金でアナグリフ画像を鑑賞できる赤青メガネをハガキに貼付するメガネシールを提供することを目的とするものである。
すなわち、
請求項１記載の考案に係るメガネシールでは、ポリエステル（ＰＥＴ等）やポリ塩化ビニル等の透明フィルムを原板とし、その上に透明度の高い赤色と青色を一対に印刷（着色）を施した、軽量かつ、極薄のメガネシールであることを特徴とするものである。【０００６】また、請求項２記載の考案に係るメガネシールでは、上述の透明フィルム原板の裏面に弱剥離性粘着剤を塗膜することによりハガキに完全密着した状態で送付できるメガネシールであることを特徴とするものである。【０００７】また、請求項３記載の考案に係るメガネシールでは、ハガキに完全密着するための粘着剤を弱剥離性粘着剤とすることにより、ハガキ表面を損傷させずにメガネシールを剥すことができ、剥したメガネシールはアナグリフ画像を鑑賞するための赤青メガネとして使用できることを特徴とするものである。
【考案の効果】
【０００８】従来のハガキの郵便料金で送付するための要項を満たす本考案のメガネシールは、一般的に使用されている個人情報保護シールと同様にハガキに貼付して送付することができる。【０００９】本考案のメガネシールを使用して他の媒体のアナグリフ画像を鑑賞することができる。
【図面の簡単な説明】
【００１０】
【図１】本考案のメガネシールの平面図である。
【図２】本考案のメガネシールの断面図である。
【考案を実施するための形態】
【００１１】メガネシールの大きさは、添付しようとするハガキより小さく形成されている。
【００１２】印刷（着色）される二色の色２Ｌ、２Ｒはアナグリフ画像の鑑賞ができる範囲の類似色であってもよい。
【００１３】弱剥離性粘着剤３は送付過程において剥がれない程度の粘着力を有する。
【００１４】メガネシールの使用時の錯誤を防止するために、左目用、右目用を表示してもよい。
【００１５】メガネシールの他の使用を防止するために、アナグリフ画像鑑賞専用を表示してもよい。
【００１６】メガネシールは剥離紙４を剥した後、ハガキに貼付する。
【符号の説明】１    ：  ポリエステル（ＰＥＴ等）やポリ塩化ビニル等の透明フィルム
２Ｌ  ：  赤色印刷（着色）
２Ｒ  ：  青色印刷（着色）
３    ：  弱剥離性粘着剤
４    ：  剥離紙
【図１】
0003197006.tif 000003
【図２】
0003197006.tif 000004
(57)【要約】      （修正有）【課題】樹脂製の包装袋に、野菜等の包装物を袋詰めする場合に、袋への投入作業をスムースに行い、能率を上げる袋詰め用のガイドシートを提供する。【解決手段】仮包み用フィルムシートの表面に樹脂製の不織布を貼り付けたガイドシート１に包装物（ネギ）３を仮り包みして、包装袋２に投入すれば、スムースになり、投入後のシートの引き抜きも、なめらかになり、作業効率は向上する。【選択図】図３
0003197008.tif 000002
【実用新案登録請求の範囲】
【請求項１】
包装物の袋詰めをスムースに行なうための、仮包み用フィルムシートの表面に、樹脂製の不織布を貼り付けたガイドシート。
【請求項２】
包装物の中、とくに立体形の物について、その位置決めを容易にすべく、シート上にスポンジゴムの塊を貼り付けたガイドシート。
【考案の詳細な説明】
【技術分野】
【０００１】商品等を、樹脂袋に収納する分野が拡大している。包装が単に封かんするという目的から、内容物を美麗に見せる機能が評価されたことによる。たとえば近年、多くの野菜も透明な樹脂袋に包装されるようになった。【０００２】この現象に伴い、包装工程における、包装袋への物品の投入作業の能率向上が、重視されるに至った。とくに少量多品種の包装品については、手作業にならざるを得ないからである。即ち、袋の口を指で開け、物品を手で投入し、その後、袋の口を閉じるという手作業である。
【背景技術】
【０００３】農産物は代表的な少量多品種の産品である。形は一様でなく、同じ品種でも形・寸法が異り、従って包装作業の効率化が困難である。【０００４】さらに、農産物の包装作業を難しくする理由に、産品の水漏れがある。この水分が袋の内側に付着すると、産品を袋に接着させるように働らき、スムースな投入を妨げるのである。
【考案の概要】
【考案が解決しようとする課題】
【０００５】農産物を樹脂製の包装袋に、スムースに投入したい。これにより、包装の全工程の能率向上をはかりたい。【０００６】この解決策としては、［図２］のように、産品を包装袋に投入する前に、古新聞紙やプラスチックのフィルムに産品を仮り巻き（包み）し、［図３］のように袋に滑りこませる方法がある。ここに新聞紙やフィルムは、ガイドシート（介在紙）と呼ぶべきものである［図１］。産品を投入し終えると、ガイドシートは引き抜き、次の包装物に備えることになる。【０００７】このガイドシートにも解決すべき課題がある。それは農産品に特有というべき、水漏れである。産品の水滴は、自ら発するものや鮮度維持対策が原因であったりする。【０００８】ガイドシートは、水濡れにあうと、水分が接着剤の如くに働らき、部分的であっても、シートと袋のフィルムは密着することになる。空気が押しのけられるからである。ガイドシートは袋の中で抜きさしならなくなるのである。
【課題を解決するための手段】
【０００９】請求項１、の考案は、樹脂製のフィルムの表面に、樹脂製の不織布を貼り付けたガイドシートをつくり用いる。不織布の表面は、微細な無数の凹凸を備えている。この凹凸は、空気を抱えこみ、野菜などの、産品に付着する水分にもガイドシートは、袋の内側に密着しない。従って産品の投入と、ガイドシートの引き抜きはスムースになる。【００１０】本考案になるガイドシートの構成は、［図４］に示すように、３層のシートでなる。［図４−４］、の不織布が［図４−５］のフィルムの両面に貼り付けてなる。【００１１】即ち、不織布はフィルムをサンドイッチしているが、不織布を片面のみに貼付することで足りることが多い。この場合、ガイドシートの不織布を貼付した面が、包装袋に接する側にして用いる。【００１２】不織布をフィルムの両面に貼り付けたガイドシートの用途は、包装物の水漏れが大きいなど、滑りが悪い場合に用いれば効果が得られる。【００１３】請求項２、の考案は、ガイドシートの内側、即ち産品を包む側の一部に、スポンジゴムの塊を固着することである。［図６］【００１４】スポンジゴムを固着したガイドシートは、産品の位置決めを容易にする。たとえば茄子てある。小茄子は通常３本から５本が袋詰めされている。これをガイドシート上で、一定方向に並べ、投入にまで安定させることはむつかしい。本考案になるガイドシートによれば、図７に示すように茄子のヘタ（蔕）部をスポンジに押しつけて揃えればよく、シートを巻きつけることも容易となる。
【考案の効果】
【００１５】農産物のように、不揃いな形と寸法で、水濡れも常態である産品の、樹脂製包装袋への投入作業に、本考案になるガイドシートを用いれば、作業はスムースになり、産品を投入した後の、シートの引き抜きも容易となる。【００１６】本考案になるガイドシートにスポンジゴムの塊を固着すれば、立体形の産品、たとえば茄子や人参などを、シート上に固定し易く、包装袋への投入が容易となり作業能率が上る。
【図面の簡単な説明】
【００１７】
【図１】図１は、本考案になる袋詰め用のガイドシートの斜視図。
【図２】図２は、袋詰め前の包装物（ねぎ）を仮包みする図。
【図３】図３は、ガイドシートで仮包みした包装物（ねぎ）を、包装袋に投入せんとする図。
【図４】図４は、本考案になるガイドシートの構造を示す。
【図５】図５は、本考案になるガイドシートの断面図。
【図６】図６は、ガイドシート上に、スポンジゴムの塊を貼付する位置を示す。
【図７】図７は、ガイドシート上に、茄子を並べた斜視図。
【考案を実施するための形態】
【００１８】本考案になるガイドシートのフィルム［図４−５］は、ポリプロピレンや塩化ビニール等の樹脂が利用できる。
【００１９】本考案になるガイドシートに用いる不織布の素材は、ポリプロピレン樹脂による。
【００２０】本考案になるガイドシートに用いるフィルムの厚みは、０．２ｍｍ程度がよい。
【符号の説明】
【００２１】１‥‥‥ガイドシート
２‥‥‥包装袋
３‥‥‥包装物（ねぎ）
４‥‥‥不織布
５‥‥‥フィルム
６‥‥‥スポンジゴム
７‥‥‥茄子
【図１】
0003197008.tif 000003
【図２】
0003197008.tif 000004
【図３】
0003197008.tif 000005
【図４】
0003197008.tif 000006
【図５】
0003197008.tif 000007
【図６】
0003197008.tif 000008
【図７】
0003197008.tif 000009